【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
画像形成装置による業務に係る使用情報の課金先とする課金先情報とユーザ情報とを紐付けて記憶する印刷管理装置と、前記画像形成装置とがネットワークを介して相互に接続可能な印刷管理システムであって、
前記印刷管理装置において、
情報処理端末から送信される前記ユーザ情報と、当該ユーザ情報に対して前記画像形成装置による業務に係る使用情報の課金先として一時的に選択可能にするための一時選択権限を受信する受信手段と、
前記受信手段で受信した前記一時選択権限を附与するユーザ情報と前記課金先情報とを紐付けて記憶部で一時的に記憶する課金先情報記憶手段と、
前記画像形成装置より当該画像形成装置にログインするための前記ユーザ情報を受信した場合に、前記課金先情報記憶手段で一時的に選択権限を附与された前記課金先情報を含む前記ユーザ情報と紐付いて記憶している前記課金先情報を前記記憶部より取得する課金先情報取得手段と、
前記課金先情報取得手段で取得した予め記憶している前記課金先情報および前記課金先情報記憶手段で一時的に選択権限を附与された前記課金先情報とを表示部に表示するべく前記画像形成装置に当該課金先情報を送信する課金先情報送信手段とを備え、
前記画像形成装置において、
前記画像形成装置にログインするためのユーザ情報を受け付けるユーザ情報受付手段と、
前記ユーザ情報受付手段で受け付けた前記ユーザ情報と紐付けて記憶されている当該ユーザ情報で示されるユーザが選択可能な前記課金先情報を前記印刷管理装置より取得する課金先情報受信手段と、
前記課金先情報受信手段で前記印刷管理装置より取得した前記ユーザ情報と紐付いて記憶されている前記課金先情報を前記ユーザが選択可能な形式で表示部に表示する課金先情報表示手段と
を備えることを特徴とする印刷管理システム。
【請求項２】
前記情報処理端末において、
前記課金先情報のうち、前記ユーザが予め選択権限を有していない課金先情報を、一時
的に選択可能にする一時選択権限情報をユーザに対して附与する附与手段を更に備えることを特徴とする請求項１に記載の印刷管理システム。
【請求項３】
前記画像形成装置において、
前記課金先情報表示手段により前記画像形成装置の表示部に表示されている前記課金先情報から、前記画像形成装置による業務に係る使用情報の課金先とする課金先情報の選択を受け付ける選択受付手段を更に備えることを特徴とする請求項１または２に記載の印刷管理システム。
【請求項４】
前記ユーザ情報と紐付いて前記記憶部で記憶している一時選択権限が附与された前記課金先情報を削除する選択権限削除手段を更に備えることを特徴とする請求項１または２に記載の印刷管理システム。
【請求項５】
前記附与手段は、前記課金先情報を一時選択可能にする期間を設定することを特徴とする請求項２に記載の印刷管理システム。
【請求項６】
前記附与手段は、前記一時選択権限が附与される前記課金先情報を前記ユーザが使用する場合の印刷設定を指定する印刷設定指定手段を備えることを特徴とする請求項２乃至５のいずれか１項に記載の印刷管理システム。
【請求項７】
前記附与手段は、前記課金先情報を前記ユーザが使用する場合に、当該使用にかかるパスワードの入力要否を設定するパスワード要否設定手段と、
前記パスワード要否設定手段で前記課金先情報の使用にかかるパスワードの入力を必要と設定した場合に、該課金先情報を使用するためのパスワードを設定するパスワード設定手段を備えることを特徴とする請求項２乃至６のいずれか１項に記載の印刷管理システム。
【請求項８】
前記選択受付手段で受け付けた前記課金先情報を使用に対してパスワードの入力が求められる場合に、パスワードの入力を受け付けるパスワード入力受付手段を更に備えることを特徴とする請求項３に記載の印刷管理システム。
【請求項９】
情報処理端末と画像形成装置と接続可能であり、前記画像形成装置による業務に係る使用情報の課金先とする課金先情報とユーザ情報とを紐付けて記憶する印刷管理装置において、
情報処理端末から送信される前記ユーザ情報と、当該ユーザ情報に対して前記画像形成装置による業務に係る使用情報の課金先として一時的に選択可能にするための一時選択権限を受信する受信手段と、
前記受信手段で受信した前記一時選択権限を附与するユーザ情報と前記課金先情報とを紐付けて記憶部で一時的に記憶する課金先情報記憶手段と、
前記画像形成装置より当該画像形成装置にログインするための前記ユーザ情報を受信した場合に、前記課金先情報記憶手段で一時的に選択権限を附与された前記課金先情報を含む前記ユーザ情報と紐付いて記憶している前記課金先情報を前記記憶部より取得する課金先情報取得手段と、
前記課金先情報取得手段で取得した予め記憶している前記課金先情報および前記課金先情報記憶手段で一時的に選択権限を附与された前記課金先情報とを表示部に表示するべく前記画像形成装置に当該課金先情報を送信する課金先情報送信手段と
を備えることを特徴とする印刷管理装置。
【請求項１０】
画像形成装置による業務に係る使用情報の課金先とする課金先情報とユーザ情報とを紐付けて記憶し、また、情報処理端末から送信される前記画像形成装置による業務に係る使用情報の課金先として一時的に選択可能にするための一時選択権限を附与するユーザ情報と前記課金先情報とを紐付けて記憶部で一時的に記憶する課金先情報記憶手段とを備える印刷管理装置と、前記画像形成装置とがネットワークを介して相互に接続可能な印刷管理システムにおける印刷管理方法であって、
前記印刷管理装置において、
前記印刷管理装置の受信手段が、情報処理端末から送信される前記ユーザ情報と、当該ユーザ情報に対して前記画像形成装置による業務に係る使用情報の課金先として一時的に選択可能にするための一時選択権限を受信する受信ステップと、
前記印刷管理装置の課金先情報取得手段が、前記画像形成装置より当該画像形成装置にログインするための前記ユーザ情報を受信した場合に、前記課金先情報記憶手段で一時的に選択権限を附与された前記課金先情報を含む前記ユーザ情報と紐付いて記憶している前記課金先情報を前記記憶部より取得する課金先情報取得ステップと、
前記印刷管理装置の課金先情報送信手段が、前記課金先情報取得ステップで取得した予め記憶している前記課金先情報および前記課金先情報記憶手段で一時的に選択権限を附与された前記課金先情報とを表示部に表示するべく前記画像形成装置に当該課金先情報を送信する課金先情報送信ステップとを含み、
前記画像形成装置において、
前記画像形成装置のユーザ情報受付手段が、前記画像形成装置にログインするためのユーザ情報を受け付けるユーザ情報受付ステップと
前記画像形成装置の課金先情報表示手段が、前記課金先情報受信ステップで前記印刷管理装置より取得した前記ユーザ情報と紐付いて記憶されている前記課金先情報を前記ユーザが選択可能な形式で表示部に表示する課金先情報表示ステップ
とを含むことを特徴とする印刷管理方法。
【請求項１１】
画像形成装置による業務に係る使用情報の課金先とする課金先情報とユーザ情報とを紐付けて記憶し、また、情報処理端末から送信される前記画像形成装置による業務に係る使用情報の課金先として一時的に選択可能にするための一時選択権限を附与するユーザ情報と前記課金先情報とを紐付けて記憶部で一時的に記憶する課金先情報記憶手段とを備える印刷管理装置と、前記画像形成装置とがネットワークを介して相互に接続可能な印刷管理システムを制御するプログラムであって、
前記印刷管理装置を、
情報処理端末から送信される前記ユーザ情報と、当該ユーザ情報に対して前記画像形成装置による業務に係る使用情報の課金先として一時的に選択可能にするための一時選択権限を受信する受信手段と、
前記画像形成装置より当該画像形成装置にログインするための前記ユーザ情報を受信した場合に、前記課金先情報記憶手段で一時的に選択権限を附与された前記課金先情報を含む前記ユーザ情報と紐付いて記憶している前記課金先情報を前記記憶部より取得する課金先情報取得手段と、
前記課金先情報取得手段で取得した予め記憶している前記課金先情報および前記課金先情報記憶手段で一時的に選択権限を附与された前記課金先情報とを表示部に表示するべく前記画像形成装置に当該課金先情報を送信する課金先情報送信手段として機能させ、
前記画像形成装置を、
前記画像形成装置にログインするためのユーザ情報を受け付けるユーザ情報受付手段と、
前記ユーザ情報受付手段で受け付けた前記ユーザ情報と紐付けて記憶されている当該ユーザ情報で示されるユーザが選択可能な前記課金先情報を前記印刷管理装置より取得する課金先情報受信手段と、
前記課金先情報受信手段で前記印刷管理装置より取得した前記ユーザ情報と紐付いて記憶されている前記課金先情報を前記ユーザが選択可能な形式で表示部に表示する課金先情報表示手段
として機能させることを特徴とするコンピュータで読み取り実行可能なプログラム。
【請求項１２】
情報処理端末と画像形成装置と接続可能であり、前記画像形成装置による業務に係る使用情報の課金先とする課金先情報とユーザ情報とを紐付けて記憶し、また、情報処理端末から送信される前記画像形成装置による業務に係る使用情報の課金先として一時的に選択可能にするための一時選択権限を附与するユーザ情報と前記課金先情報とを紐付けて記憶部で一時的に記憶する課金先情報記憶手段とを備える印刷管理装置の制御方法であって、
前記印刷管理装置の受信手段が、情報処理端末から送信される前記ユーザ情報と、当該ユーザ情報に対して前記画像形成装置による業務に係る使用情報の課金先として一時的に選択可能にするための一時選択権限を受信する受信ステップと、
前記印刷管理装置の課金先情報取得手段が、前記画像形成装置より当該画像形成装置にログインするための前記ユーザ情報を受信した場合に、前記課金先情報記憶手段で一時的に選択権限を附与された前記課金先情報を含む前記ユーザ情報と紐付いて記憶している前記課金先情報を前記記憶部より取得する課金先情報取得ステップと、
前記印刷管理装置の課金先情報送信手段が、前記課金先情報取得ステップで取得した予め記憶している前記課金先情報および前記課金先情報記憶手段で一時的に選択権限を附与された前記課金先情報とを表示部に表示するべく前記画像形成装置に当該課金先情報を送信する課金先情報送信ステップ
とを含むことを特徴とする制御方法。
【請求項１３】
情報処理端末と画像形成装置と接続可能であり、前記画像形成装置による業務に係る使用情報の課金先とする課金先情報とユーザ情報とを紐付けて記憶し、また、情報処理端末から送信される前記画像形成装置による業務に係る使用情報の課金先として一時的に選択可能にするための一時選択権限を附与するユーザ情報と前記課金先情報とを紐付けて記憶部で一時的に記憶する課金先情報記憶手段とを備える印刷管理装置を制御するプログラムであって、
前記印刷管理装置を、
情報処理端末から送信される前記ユーザ情報と、当該ユーザ情報に対して前記画像形成装置による業務に係る使用情報の課金先として一時的に選択可能にするための一時選択権限を受信する受信手段と、
前記画像形成装置より当該画像形成装置にログインするための前記ユーザ情報を受信した場合に、前記課金先情報記憶手段で一時的に選択権限を附与された前記課金先情報を含む前記ユーザ情報と紐付いて記憶している前記課金先情報を前記記憶部より取得する課金先情報取得手段と、
前記課金先情報取得手段で取得した予め記憶している前記課金先情報および前記課金先情報記憶手段で一時的に選択権限を附与された前記課金先情報とを表示部に表示するべく前記画像形成装置に当該課金先情報を送信する課金先情報送信手段
として機能させることを特徴とするコンピュータで読み取り実行可能なプログラム。
【請求項１４】
画像形成装置による業務に係る使用情報の課金先とする課金先情報とユーザ情報とを紐付けて記憶する印刷管理装置と、前記画像形成装置と、情報処理端末とがネットワークを介して相互に接続可能な印刷管理システムであって、
前記情報処理端末において、
ユーザ操作に応じて印刷ジョブと、当該印刷ジョブのユーザ情報と、当該印刷ジョブの課金先情報とを前記印刷管理装置に送信する印刷ジョブ送信手段を備え、
前記印刷管理装置において、
前記情報処理端末の印刷ジョブ送信手段で送信される前記印刷ジョブと、当該印刷ジョブのジョブオーナーであるユーザ情報と、当該印刷ジョブの出力にかかる課金先情報とを記憶する印刷ジョブ記憶手段と、
情報処理端末から送信される前記ユーザ情報と、当該ユーザ情報に対して前記画像形成装置による業務に係る使用情報の課金先として一時的に選択可能にするための一時選択権限を受信する受信手段と、
前記受信手段で受信した前記一時選択権限を附与するユーザ情報と前記課金先情報とを紐付けて記憶部で一時的に記憶する課金先情報記憶手段と、
前記画像形成装置において、
前記画像形成装置にログインするためのユーザ情報を受け付けるユーザ情報受付手段と、
前記ユーザ情報受付手段で受け付けた前記ユーザ情報と紐付けて記憶している前記印刷ジョブを表示部に表示する前記印刷ジョブ表示手段と、
前記印刷ジョブ表示手段で表示された前記印刷ジョブの一覧から、印刷指示をする前記印刷ジョブの選択を受け付ける印刷ジョブ選択受付手段と、
前記印刷ジョブ選択受付手段で選択を受け付けた前記印刷ジョブと、前記印刷ジョブ記憶手段で記憶している前記印刷ジョブの課金先情報とを印刷管理装置に送信する印刷指示手段とを備え、
更に、前記印刷管理装置において、
前記印刷指示手段により前記画像形成装置から印刷指示がなされた前記印刷ジョブの課金先情報に対して、当該印刷ジョブのユーザに常時の選択権限が与えられているか否かを判定する第一の確認手段と、
前記印刷指示手段により前記画像形成装置から印刷指示がなされた前記印刷ジョブの課金先情報に対して、当該印刷ジョブのユーザに一時的な選択権限が与えられているか否かを判定する第二の確認手段と、
前記第一の確認手段若しくは前記第二の確認手段で前記課金先情報の選択権限が前記ユーザに与えられていると判定された場合に、前記印刷ジョブを前記画像形成装置で実行すべく指示制御をする指示制御手段と
を備えることを特徴とする印刷管理システム。
【請求項１５】
前記印刷管理装置において、
前記第一の確認手段若しくは前記第二の確認手段により前記課金先情報の一時選択権限が前記ユーザに与えられていることが確認できない場合には、前記印刷ジョブの印刷を実行しない旨をユーザに通知する警告通知手段を更に備えることを特徴とする請求項１４に記載の印刷管理システム。
【請求項１６】
前記情報処理端末において、
前記課金先情報のうち、前記ユーザが予め選択権限を有していない課金先情報を、一時
的に選択可能にする一時選択権限情報をユーザに対して附与する附与手段を更に備えることを特徴とする請求項１４または１５に記載の印刷管理システム。
【請求項１７】
前記第二の確認手段は、前記印刷指示手段により前記画像形成装置から印刷指示がなされた前記印刷ジョブの課金先情報が、前記前記附与手段により一時的に選択権限を附与されている期間内の課金先情報であるか否かを判定することを特徴とする請求項１６に記載の印刷管理システム。
【請求項１８】
情報処理端末と画像形成装置と接続可能であり、前記画像形成装置による業務に係る使用情報の課金先とする課金先情報とユーザ情報とを紐付けて記憶する印刷管理装置において、
前記情報処理端末より送信される前記印刷ジョブと、当該印刷ジョブのジョブオーナーであるユーザ情報と、当該印刷ジョブの出力にかかる課金先情報とを記憶する印刷ジョブ記憶手段と、
情報処理端末から送信される前記ユーザ情報と、当該ユーザ情報に対して前記画像形成装置による業務に係る使用情報の課金先として一時的に選択可能にするための一時選択権限を受信する受信手段と、
前記受信手段で受信した前記一時選択権限を附与するユーザ情報と前記課金先情報とを紐付けて記憶部で一時的に記憶する課金先情報記憶手段と、
前記画像形成装置から印刷指示がなされた前記印刷ジョブの課金先情報に対して、当該印刷ジョブのユーザに常時の選択権限が与えられているか否かを判定する第一の確認手段と、
前記画像形成装置から印刷指示がなされた前記印刷ジョブの課金先情報に対して、当該印刷ジョブのユーザに一時的な選択権限が与えられているか否かを判定する第二の確認手段と、
前記第一の確認手段若しくは前記第二の確認手段で前記課金先情報の選択権限が前記ユーザに与えられていると判定された場合に、前記印刷ジョブを前記画像形成装置で実行すべく指示制御をする指示制御手段と
を備えることを特徴とする印刷管理装置。
【請求項１９】
画像形成装置による業務に係る使用情報の課金先とする課金先情報とユーザ情報とを紐付けて記憶し、また、情報処理端末から送信される印刷ジョブと、当該印刷ジョブのジョブオーナーであるユーザ情報と、当該印刷ジョブの出力にかかる前記課金先情報とを記憶する印刷ジョブ記憶手段と、前記情報処理端末から受信する一時選択権限を附与するユーザ情報と前記課金先情報とを紐付けて記憶部で一時的に記憶する課金先情報記憶手段とを備える印刷管理装置と、前記画像形成装置と、前記情報処理端末とがネットワークを介して相互に接続可能な印刷管理システムにおける印刷管理方法であって、
前記情報処理端末において、
前記情報処理装置の印刷ジョブ送信手段が、ユーザ操作に応じて印刷ジョブと、当該印刷ジョブのユーザ情報と、当該印刷ジョブの課金先情報とを前記印刷管理装置に送信する印刷ジョブ送信ステップを含み、
前記印刷管理装置において、
前記印刷管理装置の受信手段が、情報処理端末から送信される前記ユーザ情報と、当該ユーザ情報に対して前記画像形成装置による業務に係る使用情報の課金先として一時的に選択可能にするための一時選択権限を受信する受信ステップを含み、
前記画像形成装置において、
前記画像形成装置のユーザ情報受付手段が、前記画像形成装置にログインするためのユーザ情報を受け付けるユーザ情報受付ステップと、
前記画像形成装置の印刷ジョブ表示手段が、前記ユーザ情報受付ステップで受け付けた前記ユーザ情報と紐付けて記憶している前記印刷ジョブを表示部に表示する前記印刷ジョブ表示ステップと、
前記画像形成装置の印刷ジョブ選択受付手段が、前記印刷ジョブ表示ステップで表示された前記印刷ジョブの一覧から、印刷指示をする前記印刷ジョブの選択を受け付ける印刷ジョブ選択受付ステップと、
前記画像形成装置の印刷指示手段が、前記印刷ジョブ選択受付ステップで選択を受け付けた前記印刷ジョブと、前記印刷ジョブ記憶手段で記憶している前記印刷ジョブの課金先情報とを印刷管理装置に送信する印刷指示ステップとを含み、
更に、前記印刷管理装置において、
前記印刷管理装置の第一の確認手段が、前記印刷指示ステップにより前記画像形成装置から印刷指示がなされた前記印刷ジョブの課金先情報に対して、当該印刷ジョブのユーザに常時の選択権限が与えられているか否かを判定する第一の確認ステップと、
前記印刷管理装置の第二の確認手段が、前記印刷指示ステップにより前記画像形成装置から印刷指示がなされた前記印刷ジョブの課金先情報に対して、当該印刷ジョブのユーザに一時的な選択権限が与えられているか否かを判定する第二の確認ステップと、
前記印刷管理装置の指示制御手段が、前記第一の確認ステップ若しくは前記第二の確認ステップで前記課金先情報の選択権限が前記ユーザに与えられていると判定された場合に、前記印刷ジョブを前記画像形成装置で実行すべく指示制御をする指示制御ステップ
とを含むことを特徴とする印刷管理方法。
【請求項２０】
画像形成装置による業務に係る使用情報の課金先とする課金先情報とユーザ情報とを紐付けて記憶し、また、情報処理端末から送信される印刷ジョブと、当該印刷ジョブのジョブオーナーであるユーザ情報と、当該印刷ジョブの出力にかかる前記課金先情報とを記憶する印刷ジョブ記憶手段と、前記情報処理端末から受信する一時選択権限を附与するユーザ情報と前記課金先情報とを紐付けて記憶部で一時的に記憶する課金先情報記憶手段とを備える印刷管理装置と、前記画像形成装置と、前記情報処理端末とがネットワークを介して相互に接続可能な印刷管理システムを制御するプログラムであって、
前記情報処理端末を、
ユーザ操作に応じて印刷ジョブと、当該印刷ジョブのユーザ情報と、当該印刷ジョブの課金先情報とを前記印刷管理装置に送信する印刷ジョブ送信手段として機能させ、
前記印刷管理装置を、
前記情報処理端末から送信される前記ユーザ情報と、当該ユーザ情報に対して前記画像形成装置による業務に係る使用情報の課金先として一時的に選択可能にするための一時選択権限を受信する受信手段として機能させ、
前記画像形成装置において、
前記画像形成装置にログインするためのユーザ情報を受け付けるユーザ情報受付手段と、
前記ユーザ情報受付手段で受け付けた前記ユーザ情報と紐付けて記憶している前記印刷ジョブを表示部に表示する前記印刷ジョブ表示手段と、
前記印刷ジョブ表示手段で表示された前記印刷ジョブの一覧から、印刷指示をする前記印刷ジョブの選択を受け付ける印刷ジョブ選択受付手段と、
前記印刷ジョブ選択受付手段で選択を受け付けた前記印刷ジョブと、前記印刷ジョブ記憶手段で記憶している前記印刷ジョブの課金先情報とを印刷管理装置に送信する印刷指示手段として機能させ、
更に、前記印刷管理装置において、
前記印刷指示手段により前記画像形成装置から印刷指示がなされた前記印刷ジョブの課金先情報に対して、当該印刷ジョブのユーザに常時の選択権限が与えられているか否かを判定する第一の確認手段と、
前記印刷指示手段により前記画像形成装置から印刷指示がなされた前記印刷ジョブの課金先情報に対して、当該印刷ジョブのユーザに一時的な選択権限が与えられているか否かを判定する第二の確認手段と、
前記第一の確認手段若しくは前記第二の確認手段で前記課金先情報の選択権限が前記ユーザに与えられていると判定された場合に、前記印刷ジョブを前記画像形成装置で実行すべく指示制御をする指示制御手段
として機能させることを特徴とするコンピュータで読み取り実行可能なプログラム。
【請求項２１】
情報処理端末と画像形成装置と接続可能であり、前記画像形成装置による業務に係る使用情報の課金先とする課金先情報とユーザ情報とを紐付けて記憶し、また、前記情報処理端末から送信される印刷ジョブと、当該印刷ジョブのジョブオーナーであるユーザ情報と、当該印刷ジョブの出力にかかる前記課金先情報とを記憶する印刷ジョブ記憶手段と、前記情報処理端末から受信する一時選択権限を附与するユーザ情報と前記課金先情報とを紐付けて記憶部で一時的に記憶する課金先情報記憶手段とを備える印刷管理装置の制御方法であって、
前記印刷管理装置において、
前記印刷管理装置の受信手段が、情報処理端末から送信される前記ユーザ情報と、当該ユーザ情報に対して前記画像形成装置による業務に係る使用情報の課金先として一時的に選択可能にするための一時選択権限を受信する受信ステップを含み、
前記印刷管理装置の第一の確認手段が、前記画像形成装置から印刷指示がなされた前記印刷ジョブの課金先情報に対して、当該印刷ジョブのユーザに常時の選択権限が与えられているか否かを判定する第一の確認ステップと、
前記印刷管理装置の第二の確認手段が、前記画像形成装置から印刷指示がなされた前記印刷ジョブ前記印刷ジョブの課金先情報に対して、当該印刷ジョブのユーザに一時的な選択権限が与えられているか否かを判定する第二の確認ステップと、
前記印刷管理装置の指示制御手段が、前記第一の確認ステップ若しくは前記第二の確認ステップで前記課金先情報の選択権限が前記ユーザに与えられていると判定された場合に、前記印刷ジョブを前記画像形成装置で実行すべく指示制御をする指示制御ステップ
とを含むことを特徴とする制御方法。
【請求項２２】
情報処理端末と画像形成装置と接続可能であり、前記画像形成装置による業務に係る使用情報の課金先とする課金先情報とユーザ情報とを紐付けて記憶し、また、前記情報処理端末から送信される印刷ジョブと、当該印刷ジョブのジョブオーナーであるユーザ情報と、当該印刷ジョブの出力にかかる前記課金先情報とを記憶する印刷ジョブ記憶手段と、前記情報処理端末から受信する一時選択権限を附与するユーザ情報と前記課金先情報とを紐付けて記憶部で一時的に記憶する課金先情報記憶手段とを備える印刷管理装置を制御するプログラムあって、
前記印刷管理装置を、
情報処理端末から送信される前記ユーザ情報と、当該ユーザ情報に対して前記画像形成装置による業務に係る使用情報の課金先として一時的に選択可能にするための一時選択権限を受信する受信手段と、
前記画像形成装置から印刷指示がなされた前記印刷ジョブの課金先情報に対して、当該印刷ジョブのユーザに常時の選択権限が与えられているか否かを判定する第一の確認手段と、
前記画像形成装置から印刷指示がなされた前記印刷ジョブの課金先情報に対して、当該印刷ジョブのユーザに一時的な選択権限が与えられているか否かを判定する第二の確認手段と、
前記第一の確認手段若しくは前記第二の確認手段で前記課金先情報の選択権限が前記ユーザに与えられていると判定された場合に、前記印刷ジョブを前記画像形成装置で実行すべく指示制御をする指示制御手段
として機能させることを特徴とするコンピュータで読み取り実行可能なプログラム。